(57)【要約】【課題】測定データの送信時における電力消費量を低減する。【解決手段】測定部２１と、記憶部２５と、通信部２３と、測定部２１および通信部２３を制御する制御部２４とを備えて、その強弱を測定データＤに対応させた第２の信号光Ｌｃ，Ｌｄを測定データ回収器３（外部装置）に送信する測定装置２であって、通信部２３は、第１の信号光Ｌａを受光する受光素子２３ａと、通信用セグメントが設けられた液晶セルを有する液晶パネルが設けられた表示部２３ｂとを備え、制御部２４は、測定データＤの送信を要求する信号光Ｌａが受光素子２３ａによって受光されたときに、記憶部２５に記憶されている測定データＤのデータ内容に応じて上記の液晶パネルにおける液晶セルを駆動して測定データ回収器３から出力された連続光Ｌｂを通信用セグメントの部位において遮光または通過させて信号光Ｌｃ，Ｌｄとして出力させる。【選択図】図１
2010033482.tif 000002
【特許請求の範囲】
【請求項１】
測定データを生成する測定部と、前記測定データを記憶する測定装置側記憶部と、外部装置から出力された第１の信号光を受光すると共に当該外部装置に第２の信号光を出力する測定装置側通信部と、前記測定部および前記測定装置側通信部を制御する測定装置側制御部とを備えて、その強弱を前記測定データに対応させた前記第２の信号光を前記外部装置に送信する測定装置であって、
前記測定装置側通信部は、前記第１の信号光を受光する測定装置側受光部と、通信用セグメントが設けられた液晶セルを有する液晶パネルとを備え、
前記測定装置側制御部は、前記測定データの送信を要求する前記第１の信号光が前記測定装置側受光部によって受光されたときに、前記測定装置側記憶部に記憶されている前記測定データのデータ内容に応じて前記液晶セルを駆動して前記外部装置から出力された連続光を前記通信用セグメントの部位において遮光または通過させて前記第２の信号光として出力させる測定装置。
【請求項２】
前記液晶パネルは、前記通信用セグメントとして、第１の通信用セグメントおよび第２の通信用セグメントを備え、
前記測定装置側制御部は、前記第１の通信用セグメントの部位において予め規定された周期で前記連続光を遮光または通過させることによって前記第２の信号光としての通信用クロック信号光を出力させると共に、前記第２の通信用セグメントの部位において前記測定データのデータ内容に応じて前記予め規定された周期に同期させつつ前記連続光を遮光または通過させることによって前記第２の信号光としてのデータ送信用信号光を出力させる請求項１記載の測定装置。
【請求項３】
前記測定データに基づく測定値を表示する表示部内に前記通信用セグメントが設けられている請求項１または２記載の測定装置。
【請求項４】
測定データを記憶する回収器側記憶部と、測定装置に第１の信号光を出力すると共にその強弱が前記測定データに対応させられて当該測定装置から出力された第２の信号光を受光する回収器側通信部と、前記回収器側通信部を制御する回収器側制御部とを備えて、前記測定装置から送信された前記第２の信号光から抽出した前記測定データを前記回収器側記憶部に記憶させる測定データ回収器であって、
前記回収器側通信部は、前記第１の信号光を出力する第１の発光部と、前記測定装置に連続光を出力する第２の発光部と、前記第２の発光部から出力されて前記測定装置を介して当該測定データ回収器に入力される前記第２の信号光を受光する回収器側受光部とを備え、
前記回収器側制御部は、前記回収器側通信部を制御して前記測定データの送信を要求する前記第１の信号光を前記第１の発光部から出力させると共に、前記第２の発光部から前記連続光を出力させ、かつ前記回収器側受光部によって受光された前記第２の信号光から前記測定データを抽出して前記回収器側記憶部に記憶させる測定データ回収器。
【請求項５】
請求項１から３のいずれかに記載の測定装置と、請求項４記載の測定データ回収器とを備えて、当該測定装置によって生成された前記測定データを当該測定データ回収器によって回収可能に構成されている測定システム。
【請求項６】
前記測定装置および前記測定データ回収器の少なくとも一方には、前記第１の発光部から出力された前記第１の信号光の前記測定装置側受光部による受光、前記第２の発光部から出力された前記連続光の前記液晶パネルへの入射、および前記液晶パネルから出力された前記第２の信号光の前記回収器側受光部による受光が可能となる位置関係に当該測定装置および当該測定データ回収器を相互に位置決めする位置決め機構が設けられている請求項５記載の測定システム。
【請求項７】
前記測定装置および前記測定データ回収器の少なくとも一方には、前記測定装置側受光部および前記回収器側受光部に対する外光の入射を規制する遮光機構が設けられている請求項５または６記載の記載の測定システム。
【発明の詳細な説明】
【技術分野】
【０００１】
本発明は、記憶部に記憶されている測定データを外部装置に送信可能に構成された測定装置、測定装置からの測定データを受信して記憶部に記憶させる測定データ回収器、および測定装置と測定データ回収器とを備えた測定システムに関するものである。
【背景技術】
【０００２】
この種の測定装置、測定データ回収器および測定システムとして、出願人は、温度記録装置において生成された測定データをデータ中継器によって回収可能に構成した温度測定システム（以下、「記録装置」、「中継器」および「測定システム」ともいう）を特開２０００−３３９５７８号公報に開示している。出願人が開示しているこの測定システムでは、記録装置と中継器とを相互に絶縁した状態において各種信号を送受信可能とするために、光通信によって各種信号を送受信する構成が採用されている。具体的には、この測定システムでは、記録装置および中継器の双方が発光素子と受光素子とをそれぞれ備えて構成されて、発光素子から信号光を出力することで各種信号（測定データ）を送信する構成が採用されている。
【０００３】
この測定システムにおいて中継器によって記録装置から測定データを回収する際には、まず、中継器の載置部に記録装置を載置する。この際には、中継器の発光素子と記録装置の受光素子とが対向すると共に、中継器の受光素子と記録装置の発光素子とが対向する状態となる。次いで、中継器の操作部を操作してデータ回収処理の開始を指示すると、中継器の制御部が発光素子を点滅させて、測定データの送信開始を指示する制御信号としての所定の信号光を出力させる。一方、記録装置では、制御部が、受光素子によって受光された信号光（制御信号）に応じて、記憶部（ＲＡＭ）に記憶されている測定データの中継器に対する送信を開始する。具体的には、記録装置の制御部は、送信すべき測定データのデータ内容に応じて発光素子を点滅させることによって、測定データに対応する信号光を出力させる。これに応じて、中継器の制御部は、上記の信号光が受光素子によって受光されたときに、その信号光に基づいて測定データを生成して記憶部（ＲＡＭ）に順次記憶させる。これにより、記録装置から測定データが回収される。
【特許文献１】特開２０００−３３９５７８号公報（第４−６頁、第１−４図）
【発明の開示】
【発明が解決しようとする課題】
【０００４】
ところが、出願人が開示している測定システムには、以下の改善すべき課題がある。すなわち、出願人が開示している測定システムでは、発光素子を点滅させて信号光を出力することによって記録装置から中継器に測定データを送信する構成が採用されている。この場合、この種の記録装置は、例えば、食品等の温度管理状態を検査するために、食品等と共に輸送箱や冷蔵ショーケース内に設置された状態で測定処理を実行する。したがって、この種の記録装置では、外部電源（例えば商用交流）の利用が困難であるため、一般的には、内蔵バッテリを電源として使用する構成が採用されている。この場合、長時間に亘る測定処理を実行するするには、十分な容量のバッテリを搭載する必要があるが、この種の記録装置は、食品等の収容や陳列の妨げとならないように小型化を図る必要があるため、大容量バッテリの搭載が困難となっている。
【０００５】
一方、測定データを送信するために発光素子を点滅させる（信号光を出力する）際には、発光素子によって多くの電力が消費される。したがって、測定データの回収作業を実行したときには、その後の測定可能時間（運用可能時間）の大幅な減少を招くこととなる。また、長時間に亘って測定処理を実行したときには、測定処理時に多くの電力が消費されていることに起因して、すべての測定データの送信が完了するまで発光素子を点滅させる（信号光を出力する）のが困難な状況となるおそれもある。このように、出願人が開示している測定システムでは、測定データの送信に際して発光素子を点滅させる（信号光を出力する）のに多くの電力を必要とすることに起因して、長時間に亘る測定処理の実行が困難となるおそれがあり、この点を改善するのが好ましい。なお、出願人が開示している測定システムにおける光通信に代えて、無線通信によって測定データ等を送受信する構成の測定装置を備えた測定システムも存在するが、無線通信時に消費される電力が光通信時に消費される電力よりもさらに多いため、このような測定システムでは、上記の課題が一層切実なものとなっている。
【０００６】
本発明は、かかる問題点に鑑みてなされたものであり、測定データの送信時における測定装置の電力消費量を低減し得る測定装置、測定データ回収器および測定システムを提供することを主目的とする。
【課題を解決するための手段】
【０００７】
上記目的を達成すべく請求項１記載の測定装置は、測定データを生成する測定部と、前記測定データを記憶する測定装置側記憶部と、外部装置から出力された第１の信号光を受光すると共に当該外部装置に第２の信号光を出力する測定装置側通信部と、前記測定部および前記測定装置側通信部を制御する測定装置側制御部とを備えて、その強弱を前記測定データに対応させた前記第２の信号光を前記外部装置に送信する測定装置であって、前記測定装置側通信部が、前記第１の信号光を受光する測定装置側受光部と、通信用セグメントが設けられた液晶セルを有する液晶パネルとを備え、前記測定装置側制御部が、前記測定データの送信を要求する前記第１の信号光が前記測定装置側受光部によって受光されたときに、前記測定装置側記憶部に記憶されている前記測定データのデータ内容に応じて前記液晶セルを駆動して前記外部装置から出力された連続光を前記通信用セグメントの部位において遮光または通過させて前記第２の信号光として出力させる。
【０００８】
また、請求項２記載の測定装置は、請求項１記載の測定装置において、前記液晶パネルが、前記通信用セグメントとして、第１の通信用セグメントおよび第２の通信用セグメントを備え、前記測定装置側制御部が、前記第１の通信用セグメントの部位において予め規定された周期で前記連続光を遮光または通過させることによって前記第２の信号光としての通信用クロック信号光を出力させると共に、前記第２の通信用セグメントの部位において前記測定データのデータ内容に応じて前記予め規定された周期に同期させつつ前記連続光を遮光または通過させることによって前記第２の信号光としてのデータ送信用信号光を出力させる。
【０００９】
さらに、請求項３記載の測定装置は、請求項１または２記載の測定装置において、前記測定データに基づく測定値を表示する表示部内に前記通信用セグメントが設けられている。
【００１０】
また、請求項４記載の測定データ回収器は、測定データを記憶する回収器側記憶部と、測定装置に第１の信号光を出力すると共にその強弱が前記測定データに対応させられて当該測定装置から出力された第２の信号光を受光する回収器側通信部と、前記回収器側通信部を制御する回収器側制御部とを備えて、前記測定装置から送信された前記第２の信号光から抽出した前記測定データを前記回収器側記憶部に記憶させる測定データ回収器であって、前記回収器側通信部が、前記第１の信号光を出力する第１の発光部と、前記測定装置に連続光を出力する第２の発光部と、前記第２の発光部から出力されて前記測定装置を介して当該測定データ回収器に入力される前記第２の信号光を受光する回収器側受光部とを備え、前記回収器側制御部が、前記回収器側通信部を制御して前記測定データの送信を要求する前記第１の信号光を前記第１の発光部から出力させると共に、前記第２の発光部から前記連続光を出力させ、かつ前記回収器側受光部によって受光された前記第２の信号光から前記測定データを抽出して前記回収器側記憶部に記憶させる。
【００１１】
また、請求項５記載の測定システムは、請求項１から３のいずれかに記載の測定装置と、請求項４記載の測定データ回収器とを備えて、当該測定装置によって生成された前記測定データを当該測定データ回収器によって回収可能に構成されている。
【００１２】
さらに、請求項６記載の測定システムは、請求項５記載の測定システムにおいて、前記測定装置および前記測定データ回収器の少なくとも一方には、前記第１の発光部から出力された前記第１の信号光の前記測定装置側受光部による受光、前記第２の発光部から出力された前記連続光の前記液晶パネルへの入射、および前記液晶パネルから出力された前記第２の信号光の前記回収器側受光部による受光が可能となる位置関係に当該測定装置および当該測定データ回収器を相互に位置決めする位置決め機構が設けられている。
【００１３】
また、請求項７記載の測定システムは、請求項５または６記載の測定システムにおいて、前記測定装置および前記測定データ回収器の少なくとも一方には、前記測定装置側受光部および前記回収器側受光部に対する外光の入射を規制する遮光機構が設けられている。
【発明の効果】
【００１４】
請求項１記載の測定装置では、測定装置側通信部が、第１の信号光を受光する測定装置側受光部と、通信用セグメントが設けられた液晶セルを有する液晶パネルとを備え、測定装置側制御部が、測定データの送信を要求する第１の信号光が測定装置側受光部によって受光されたときに、測定装置側記憶部に記憶されている測定データのデータ内容に応じて液晶セルを駆動して外部装置から出力された連続光を通信用セグメントの部位において遮光または通過させてその強弱を測定データに対応させた第２の信号光を外部装置に送信する。また、請求項４記載の測定データ回収器では、回収器側通信部が、測定装置に連続光を出力する第２の発光部を備えている。さらに、請求項５記載の測定システムでは、上記の測定装置および測定データ回収器を備えて、測定装置によって生成された測定データを測定データ回収器によって回収可能に構成されている。
【００１５】
したがって、この測定装置、測定データ回収器および測定システムによれば、測定データ回収器から出力した連続光を測定装置の通信用セグメントによって遮光または通過させて測定装置から第２の信号光として出力することができるため、発光素子の点滅によって測定データを中継器に送信する構成の従来の記録装置を備えたシステムと比較して、測定データの送信時における測定装置の消費電力を大幅に低減することができる。したがって、この測定装置、測定データ回収器および測定システムによれば、測定装置の測定可能時間（運用可能時間）の大幅な減少を招くことなく、測定装置から測定データ回収器に測定データを確実に送信することができると共に、測定装置によって長時間に亘って測定処理を実行した後であっても（内蔵バッテリの残容量が少ない状態においても）、測定データ回収器に対して測定データを確実に送信させることができる。
【００１６】
また、請求項２記載の測定装置によれば、液晶パネルが、通信用セグメントとして、第１の通信用セグメントおよび第２の通信用セグメントを備え、測定装置側制御部が、第１の通信用セグメントの部位において予め規定された周期で連続光を遮光または通過させることによって第２の信号光としての通信用クロック信号光を出力させると共に、第２の通信用セグメントの部位において測定データのデータ内容に応じて予め規定された周期に同期させつつ連続光を遮光または通過させることによって第２の信号光としてのデータ送信用信号光を出力させることにより、例えば、測定データ回収器から出力された連続光を１つの通信用セグメントによって遮光または通過させることで測定データおよび同期用のクロック信号に対応する２つの信号光を交互に出力する構成と比較して、同期用のクロック信号および測定データに対応する２つの信号光を第２の信号光として並行して出力することにより、大量の測定データを測定データ回収器に短時間で送信することができる。この結果、測定データの送信時における測定装置の消費電力を一層低減することができる。
【００１７】
さらに、請求項３記載の測定装置によれば、測定データに基づく測定値を表示する表示部内に通信用セグメントを設けたことにより、測定データ回収器との通信専用の液晶パネルを設けることなく、測定データを送信することができるため、測定装置の製造コストの上昇を抑制することができる。
【００１８】
また、請求項６記載の測定システムによれば、測定装置および測定データ回収器の少なくとも一方に、第１の発光部から出力された第１の信号光の測定装置側受光部による受光、第２の発光部から出力された連続光の液晶パネルへの入射、および液晶パネルから出力された第２の信号光の回収器側受光部による受光が可能となる位置関係に測定装置および測定データ回収器を相互に位置決めする位置決め機構を設けたことにより、測定データ回収器における第１の発光部から出力した第１の信号光を測定装置における測定装置側受光部によって確実に受光することができ、かつ、測定データ回収器における第２の発光部から出力した連続光を測定装置における液晶パネルの通信用セグメントに対して確実に入射させることができると共に、測定装置における液晶パネルＰから出力された第２の信号光を測定データ回収器における回収器側受光部によって確実に受光することができる。したがって、測定データ回収器を用いて測定装置からの測定データを確実に回収することができる。
【００１９】
さらに、請求項７記載の測定システムによれば、測定装置および測定データ回収器の少なくとも一方に、測定装置側受光部および回収器側受光部に対する外光の入射を規制する遮光機構を設けたことにより、測定装置側通信部における測定装置側受光部や回収器側通信部における回収器側受光部に外光が入射して、通信エラーが発生する事態を確実に回避することができる。
【発明を実施するための最良の形態】
【００２０】
以下、添付図面を参照して、本発明に係る測定装置、測定データ回収器および測定システムの最良の形態について説明する。
【００２１】
図１に示す測定システム１は、本発明に係る測定システムの一例であって、測定装置２、測定データ回収器３およびパーソナルコンピュータ４を備えて構成されている。この場合、測定装置２は、本発明に係る測定装置の一例であって、測定部２１、操作部２２、通信部２３、制御部２４、記憶部２５および内蔵バッテリ（図示せず）を備えている。測定部２１は、制御部２４の制御に従って入力信号についての測定処理を実行して、本発明における測定データの一例である測定データＤを生成する。この測定装置２では、一例として、測定部２１が図示しない温度センサからの入力信号（測定装置２の周囲の温度に応じたセンサ信号）に基づいて、周囲温度を示す測定データＤを生成する構成が採用されている。操作部２２は、測定部２１による上記の温度測定の測定条件を設定操作するための操作スイッチや電源スイッチ（図示せず）などを備えている。
【００２２】
通信部２３は、本発明における測定装置側通信部に相当し、受光素子２３ａおよび表示部２３ｂを備えて構成されている。受光素子２３ａは、本発明における測定装置側受光部に相当し、後述するように測定データ回収器３から出力された信号光Ｌａ（本発明における第１の信号光）を受光して電気的信号に変換して制御部２４に出力する。表示部２３ｂは、図４に示すように、一例として、ノーマリーホワイト型の液晶セル４０ａと、液晶セル４０ａの裏面に配設された反射板４０ｂとを有する反射型の液晶パネルＰを備えて構成されている。この表示部２３ｂは、図２に示すように、測定データＤに基づく測定値（この例では、温度）を表示するための複数のセグメントを有する測定値表示部４１と、本発明における第１の通信用セグメントに相当する通信用セグメント４２ａ、および本発明における第２の通信用セグメントに相当する通信用セグメント４２ｂを有する通信用表示部４２とを備えている。なお、上記の通信用セグメント４２ａ，４２ａは、常態においては、非表示状態に制御されている。
【００２３】
この場合、上記の液晶パネルＰは、制御部２４と相俟って本発明における測定装置側制御部を構成する液晶駆動用制御回路４０ｃを備えて、この液晶駆動用制御回路４０ｃが制御部２４の制御に従って所定の駆動タイミングパルス信号（図５参照）に同期して、液晶セル４０ａ内の上記の各セグメントをＯＮ／ＯＦＦ制御（表示または非表示に制御）する。また、この測定装置２では、後述するようにして通信用セグメント４２ａ，４２ｂを表示または非表示に制御することによって、測定データ回収器３から出力された連続光Ｌｂを遮光または通過させて信号光Ｌｃ（本発明における第２の信号光としての通信用クロック信号光）および信号光Ｌｄ（本発明における第２の信号光としてのデータ送信用信号光）として出力する構成が採用されている。この場合、通信用セグメント４２ａ，４２ｂが表示されて連続光Ｌｂが遮光された状態では、信号光Ｌｃ，Ｌｄの出力が規制される。また、通信用セグメント４２ａ，４２ｂによって連続光Ｌｂが完全には遮光し切れなかったときであっても、出力される光量は極く微小に制限される。一方、通信用セグメント４２ａ，４２ｂが非表示に制御されて連続光Ｌｂの通過が許容された状態（連続光Ｌｂの反射板４０ｂへの入射が許容された状態）では、連続光Ｌｂと同程度の強い光が信号光Ｌｃ，Ｌｄとして出力される。
【００２４】
制御部２４は、測定装置２を総括的に制御する。具体的には、制御部２４は、測定部２１を制御して測定処理を実行させると共に、測定部２１から出力された測定データＤを記憶部２５に記憶させる。また、制御部２４は、測定データＤの送信開始を要求する信号光Ｌａが受光素子２３ａによって受光されたとき（受光素子２３ａから送信開始信号Ｓ１が出力されたとき）に、記憶部２５に記憶されている測定データＤのデータ内容に応じて表示部２３ｂの液晶駆動用制御回路４０ｃを制御して通信用セグメント４２ａ，４２ｂを表示または非表示に制御させる。なお、制御部２４による表示制御については、後に詳細に説明する。記憶部２５は、本発明における測定装置側記憶部に相当し、測定データＤや、制御部２４の動作プログラムなどを記憶する。
【００２５】
測定データ回収器３は、本発明に係る測定データ回収器および本発明における外部装置の一例であって、通信部３１，３２、操作部３３、制御部３４および記憶部３５を備えている。また、図４に示すように、測定データ回収器３の筐体３０には、測定装置２を嵌入するための嵌入用穴Ｈが形成されている。通信部３１は、本発明における回収器側通信部に相当し、図３に示すように、発光素子３１ａ，３１ｂおよび受光素子３１ｃ，３１ｄを備えている。発光素子３１ａは、本発明における第１の発光部に相当し、制御部３４の制御に従って点滅させられることにより、送信開始信号Ｓ１等の各種制御信号を信号光Ｌａとして出力する。発光素子３１ｂは、本発明における第２の発光部に相当し、制御部３４からの制御信号Ｓ２に従って点灯させられることにより、測定データ回収器３から信号光Ｌｃ，Ｌｄを出力させるための連続光Ｌｂを出力する。受光素子３１ｃ，３１ｄは、本発明における回収器側受光部に相当し、測定装置２から出力された信号光Ｌｃ，Ｌｄ（連続光Ｌｂの反射光）を受光して電気的信号（クロック信号Ｓｃおよびデータ信号Ｓｄ）に変換して制御部３４に出力する。
【００２６】
通信部３２は、測定装置２から回収した測定データＤをパーソナルコンピュータ４に転送（送信）するための通信部であって、パーソナルコンピュータ４に対して通信ケーブル５を介して接続可能とするためのケーブル接続コネクタ（図示せず）を備えている。操作部３３は、測定装置２に対して測定データＤの送信開始を指示するスイッチなどの各種操作スイッチ（図示せず）を備えている。制御部３４は、本発明における回収器側制御部に相当し、測定データ回収器３を総括的に制御する。具体的には、制御部３４は、操作部３３のスイッチ操作によって測定データＤの回収処理の開始を指示されたときに、通信部３１の発光素子３１ａを制御して点滅させることにより、送信開始信号Ｓ１としての信号光Ｌａを出力させる。また、制御部３４は、発光素子３１ｂに制御信号Ｓ２を出力して点灯させることにより、連続光Ｌｂを出力させる。
【００２７】
さらに、制御部３４は、後述するようにして、測定装置２から信号光Ｌｃとして出力されたクロック信号Ｓｃ（受光素子３１ｃによって信号光Ｌｃが電気的信号に変換されたもの）に同期して測定装置２から信号光Ｌｄとして出力されたデータ信号Ｓｄ（受光素子３１ｄによって信号光Ｌｄが電気的信号に変換されたもの）を符号化処理して（抽出して）測定データＤを生成する。また、制御部３４は、抽出した測定データＤを記憶部３５に記憶させる。さらに、制御部３４は、パーソナルコンピュータ４からの要求に応じて、記憶部３５に記憶させた測定データＤを通信部３２からパーソナルコンピュータ４に送信させる。記憶部３５は、本発明における回収器側記憶部に相当し、測定データＤや制御部３４の動作プログラムなどを記憶する。
【００２８】
この場合、この測定データ回収器３では、上記の嵌入用穴Ｈが形成された筐体３０（嵌入用穴Ｈの内側壁および底部）が本発明における位置決め機構および遮光機構を構成する。具体的には、嵌入用穴Ｈは、測定装置２における筐体２０の外形に合わせて測定データ回収器３の筐体３０に開口されている。したがって、この嵌入用穴Ｈに測定装置２（筐体２０）を嵌入することによって、筐体２０の正面パネル（液晶パネルＰの配設面）が嵌入用穴Ｈの底面に密着すると共に、筐体２０の周面が嵌入用穴Ｈの内側壁に密着する。これにより、嵌入用穴Ｈ内ので筐体２０のがたつきが規制されて測定データ回収器３に対して測定装置２が位置決めされると共に、測定装置２の受光素子２３ａや測定データ回収器３の受光素子３１ｃ，３１ｄに対する外光の入射が規制される。
【００２９】
また、図３，４に示すように、この測定システム１では、測定データ回収器３の嵌入用穴Ｈに測定装置２を嵌入した状態（測定データ回収器３に対して測定装置２を位置決めした状態）において、測定データ回収器３の発光素子３１ａと測定データ回収器３の受光素子２３ａとが対向すると共に、測定装置２の通信用セグメント４２ａ，４２ｂと測定データ回収器３の発光素子３１ｂおよび受光素子３１ｃ，３１ｄとが対向する状態となるように構成されている。この場合、図４に示すように、通信用表示部４２の通信用セグメント４２ａ，４２ｂは、制御部２４によって表示状態に制御されたときに、測定データ回収器３の発光素子３１ｂから出力された連続光Ｌｂを遮光して液晶パネルＰにおける反射板４０ｂに到達する（入射する）のを規制すると共に、規制し切れずに反射板４０ｂに到達して反射板４０ｂによって反射された僅かな連続光Ｌｂが測定データ回収器３の受光素子３１ｃ，３１ｄに向かって出力されるのを規制するように、その位置や大きさが規定されている。
【００３０】
パーソナルコンピュータ４は、測定データ回収器３によって回収した測定データＤを管理する管理装置であって、通信ケーブル５によって測定データ回収器３が接続された状態において、通信ケーブル５を介して制御信号を出力すると共に、通信ケーブル５を介して測定データ回収器３から送信された測定データＤを受信する。なお、測定データ回収器３とパーソナルコンピュータ４との間の通信方法は、通信ケーブル５を利用した通信方法に限定されず、光通信や無線通信などの各種通信手段を採用することができる。
【００３１】
この測定システム１の使用に際しては、まず、測定装置２における操作部２２のスイッチ操作、または、測定データ回収器３からの測定条件データの送信によって測定装置２に対して測定条件を設定する。次いで、測定装置２を任意の測定場所（一例として、冷蔵ショーケース内）に設置する。この状態において、測定装置２の制御部２４は、設定された測定条件に従って測定部２１を制御して測定処理を実行させ、これに応じて、測定部２１は、周囲の温度を測定して測定データＤを生成する。また、制御部２４は、測定部２１によって生成された測定データＤを記憶部２５に順次記憶させる。これにより、設定した測定条件に従って、測定装置２の設置場所の温度を示す測定データＤが記憶部２５に蓄積される。
【００３２】
一方、測定装置２から測定データＤを回収する際には、測定装置２を冷蔵ショーケース内から取り出して、図４に示すように、測定データ回収器３の嵌入用穴Ｈに嵌入する。この際には、前述したように、測定データ回収器３の発光素子３１ａと測定装置２の受光素子２３ａとが対向すると共に、測定データ回収器３の発光素子３１ｂおよび受光素子３１ｃ，３１ｄと測定装置２の表示部２３ｂにおける通信用表示部４２（通信用セグメント４２ａ，４２ｂ）とが対向した状態となる。また、測定装置２の筐体における周面と嵌入用穴Ｈの内側壁とが密着することで、嵌入用穴Ｈ内での測定装置２のがたつきが規制され（測定データ回収器３に対して測定装置２が位置決めされ）、かつ、測定装置２の受光素子２３ａや測定データ回収器３の受光素子３１ｃ，３１ｄへの外光の入射が規制される。次いで、測定データ回収器３の操作部３３を操作して、測定データＤの回収処理の開始を指示する。この際に、制御部３４は、通信部３１の発光素子３１ａを制御して点滅させることにより、送信開始信号Ｓ１としての信号光Ｌａ（本発明における第１の信号光）を出力させる。また、制御部３４は、発光素子３１ｂに制御信号Ｓ２を出力して点灯させることによって連続光Ｌｂの出力を開始させる。
【００３３】
この際に、測定装置２では、受光素子２３ａが測定データ回収器３から出力された信号光Ｌａを受光して電気的信号（送信開始信号Ｓ１）に変換して制御部２４に出力し、これに応じて、制御部２４は、測定データ回収器３に対する測定データＤの送信処理を開始する。具体的には、制御部２４は、通信部２３における表示部２３ｂ（液晶パネルＰ）の液晶駆動用制御回路４０ｃを制御することにより、測定データ回収器３に送信すべきデータ信号Ｓｄ（測定データＤを測定データ回収器３に送信するための信号）に応じて通信用セグメント４２ｂを点滅させる。また、制御部２４は、液晶駆動用制御回路４０ｃを制御して、測定データ回収器３に対してデータ信号Ｓｄを符号化させるため（データ信号Ｓｄを測定データＤに変換させるため）のクロック信号Ｓｃに応じて通信用セグメント４２ａを点滅させる。
【００３４】
この場合、図５に示すように、測定装置２に搭載されている液晶パネルＰでは、駆動タイミングパルス信号に同期して液晶駆動用制御回路４０ｃが各セグメントをＯＮ／ＯＦＦ制御する構成が採用されている。また、前述したように、この液晶パネルＰの液晶セル４０ａは、ノーマリホワイト型であるため、液晶駆動用制御回路４０ｃがＯＮ制御しているときには、対応するセグメントが表示状態となり、液晶駆動用制御回路４０ｃがＯＦＦ制御しているときには、対応するセグメントが非表示状態となる。したがって、制御部２４は、測定データ回収器３に対して信号光Ｌｃ，Ｌｄ（測定データ回収器３から出力されている連続光Ｌｂの反射光）を出力させるときには、液晶駆動用制御回路４０ｃを制御して、通信用セグメント４２ａ，４２ｂを非表示状態に制御させて連続光Ｌｂを通過させ、測定データ回収器３に対する信号光Ｌｃ，Ｌｄの出力を停止させるときには、液晶駆動用制御回路４０ｃを制御して、通信用セグメント４２ａ，４２ｂを表示状態に制御させて連続光Ｌｂを遮光（通過を規制）させる。
【００３５】
この場合、この測定装置２では、上記のクロック信号Ｓｃの１周期（本発明における「予め規定された周期」：同図における時間Ｔ）における前半期間（同図における時間Ｔａ）において測定データ回収器３に対する信号光Ｌｃの出力を停止すると共に、クロック信号Ｓｃの１周期における後半期間（同図における時間Ｔｂ）において測定データ回収器３に対して信号光Ｌｃを出力することによって、その強弱をクロック信号Ｓｃに対応させて出力する構成が採用されている。したがって、制御部２４は、液晶駆動用制御回路４０ｃを制御して、クロック信号Ｓｃの１周期における前半期間（時間Ｔａ）において通信用セグメント４２ａをＯＮ制御する（表示状態に制御する）と共に、クロック信号Ｓｃの１周期における後半期間（時間Ｔｂ）において通信用セグメント４２ａをＯＦＦ制御する（非表示状態に制御する）。これにより、測定データ回収器３から出力された連続光Ｌｂの反射光である信号光Ｌｃ（本発明における通信用クロック信号光）としてクロック信号Ｓｃが測定装置２から測定データ回収器３に出力される。
【００３６】
また、この測定装置２では、測定データ回収器３に対して送信すべき測定データＤのデータ内容に応じて上記のデータ信号Ｓｄを生成し、このデータ信号Ｓｄをクロック信号Ｓｃに同期させて信号光Ｌｄとして測定データ回収器３に出力する構成が採用されている。具体的には、この測定装置２では、上記のクロック信号Ｓｃの１周期（時間Ｔ）毎にデータ信号Ｓｄに応じて信号光Ｌｄを出力または出力停止することによって、その強弱をデータ信号Ｓｄに対応させて出力する構成が採用されている。したがって、制御部２４は、液晶駆動用制御回路４０ｃを制御して、信号光Ｌｄの出力を停止すべき周期においては、時間Ｔだけ通信用セグメント４２ｂをＯＮ制御する（表示状態に制御する）と共に、信号光Ｌｄを出力すべき周期においては、時間Ｔだけ通信用セグメント４２ｂをＯＦＦ制御する（非表示状態に制御する）。これにより、測定データ回収器３から出力された連続光Ｌｂの反射光である信号光Ｌｄ（本発明におけるデータ送信用信号光）としてデータ信号Ｓｄが測定装置２から測定データ回収器３に出力される。
【００３７】
なお、制御部２４は、記憶部２５内のすべての測定データＤについて、対応するデータ信号Ｓｄ（信号光Ｌｄ）を出力したときに、測定データＤの送信が完了した旨を報知するデータ信号Ｓｄ（信号光Ｌｄ）を出力させた後に、通信用セグメント４２ａ，４２の表示制御を終了する。この場合、この測定装置２では、測定データ回収器３から出力された連続光Ｌｂの反射光を上記の信号光Ｌｃ，Ｌｄとして出力する構成が採用されているため、大量の測定データＤを測定データ回収器３に送信する場合であっても、通信用セグメント４２ａ，４２ｂをＯＮ制御（表示状態に制御）するのに要する極く少量の電力で信号光Ｌｃ，Ｌｄを出力することが可能となっている。
【００３８】
一方、測定データ回収器３では、受光素子３１ｃが信号光Ｌｃを受光して電気的信号（クロック信号Ｓｃ）に変換して制御部３４に出力すると共に、受光素子３１ｄが信号光Ｌｄを受光して電気的信号（データ信号Ｓｄ）に変換して制御部３４に出力する。これに応じて、制御部３４は、クロック信号Ｓｃに同期してデータ信号Ｓｄを符号化することによって測定データＤを抽出し、抽出した測定データＤを記憶部３５に順次記憶させる。また、測定装置２から測定データＤの送信が完了した旨を報知する信号光Ｌｄ（データ信号Ｓｄ）が出力されたときには、制御部３４は、発光素子３１ｂに制御信号Ｓ２を出力して、連続光Ｌｂの出力を停止させる。これにより、測定装置２の記憶部２５に記憶されている測定データＤの回収処理が完了する。この後、測定データ回収器３をパーソナルコンピュータ４に接続して、回収した測定データＤをパーソナルコンピュータ４に転送する。これにより、パーソナルコンピュータ４によって測定データＤに基づく温度管理状態検査等が可能な状態となる。
【００３９】
このように、この測定装置２では、通信部２３が、測定データ回収器３から出力された信号光Ｌａを受光する受光素子２３ａと、通信用セグメント４２ａ，４２ｂが設けられた液晶セル４０ａを有する液晶パネルＰとを備え、制御部２４が、測定データＤの送信を要求する信号光Ｌａが受光素子２３ａによって受光されたときに、記憶部２５に記憶されている測定データＤのデータ内容に応じて液晶駆動用制御回路４０ｃを制御して液晶セル４０ａを駆動させて測定データ回収器３から出力された連続光Ｌｂを通信用セグメント４２ａ，４２ｂの部位において遮光または通過させてその強弱をクロック信号Ｓｃおよびデータ信号Ｓｄに対応させた信号光Ｌｃ，Ｌｄを出力させることで測定データＤを測定データ回収器３に送信する。また、この測定データ回収器３では、通信部３１が、測定装置２に連続光Ｌｂを出力する発光素子３１ｂを備えている。さらに、この測定システム１では、上記の測定装置２および測定データ回収器３を備えて、測定装置２によって生成された測定データＤを測定データ回収器３によって回収可能に構成されている。
【００４０】
したがって、この測定装置２、測定データ回収器３および測定システム１によれば、測定データ回収器３から出力した連続光Ｌｂを測定装置２の通信用セグメント４２ａ，４２ｂによって遮光または通過させて測定装置２から信号光Ｌｃ，Ｌｄとして出力することができるため、発光素子の点滅によって測定データを中継器に送信する構成の従来の記録装置を備えたシステムと比較して、測定データＤの送信時における測定装置２の消費電力を大幅に低減することができる。したがって、この測定装置２、測定データ回収器３および測定システム１によれば、測定装置２の測定可能時間（運用可能時間）の大幅な減少を招くことなく、測定装置２から測定データ回収器３に測定データＤを確実に送信することができると共に、測定装置２によって長時間に亘って測定処理を実行した後であっても（内蔵バッテリの残容量が少ない状態においても）、測定データ回収器３に対して測定データＤを確実に送信させることができる。
【００４１】
また、この測定装置２によれば、液晶パネルＰが、本発明における通信用セグメントとして、本発明における第１の通信用セグメントに相当する通信用セグメント４２ａおよび本発明における第２の通信用セグメントに相当する通信用セグメント４２ｂを備え、制御部２４が、通信用セグメント４２ａの部位において予め規定された周期で連続光Ｌｂを遮光または通過させることによって、本発明における通信用クロック信号光としての信号光Ｌｃを出力させると共に、第２の通信用セグメント４２ｂの部位において測定データＤのデータ内容に応じて予め規定された周期に同期させつつ連続光Ｌｂを遮光または通過させることによって本発明におけるデータ送信用信号光としての信号光Ｌｄを出力させることにより、例えば、測定データ回収器３から出力された連続光Ｌｂを１つの通信用セグメントによって遮光または通過させることでクロック信号Ｓｃおよびデータ信号Ｓｄの両信号に相当する信号光を交互に出力する構成と比較して、クロック信号Ｓｃおよびデータ信号Ｓｄを信号光Ｌｃ，Ｌｄとして並行して出力することにより、大量の測定データＤを測定データ回収器３に短時間で送信することができる。この結果、測定データＤの送信時における測定装置２の消費電力を一層低減することができる。
【００４２】
さらに、この測定装置２によれば、測定データＤに基づく測定値を表示する表示部２３ｂ内に通信用セグメント４２ａ，４２ｂを設けたことにより、測定データ回収器３との通信専用の液晶パネルを設けることなく、測定データＤを送信することができるため、測定装置２の製造コストの上昇を抑制することができる。
【００４３】
また、この測定システム１によれば、測定装置２および測定データ回収器３の少なくとも一方（この例では、測定データ回収器３）に、発光素子３１ａから出力された信号光Ｌａの受光素子２３ａによる受光、発光素子３１ｂから出力された連続光Ｌｂの液晶パネルＰへの入射、および液晶パネルＰから出力された信号光Ｌｃ，Ｌｄの受光素子３１ｃ，３１ｄによる受光が可能となる位置関係に測定装置２および測定データ回収器３を相互に位置決めする位置決め機構（この例では、測定装置２の筐体２０を嵌入可能に測定データ回収器３の筐体３０に形成された嵌入用穴Ｈ）を設けたことにより、測定データ回収器３の通信部３１における発光素子３１ａから出力した信号光Ｌａを測定装置２の通信部２３における受光素子２３ａによって確実に受光することができ、かつ、通信部３１の発光素子３１ｂから出力した連続光Ｌｂを通信部２３の表示部２３ｂ（通信用セグメント４２ａ，４２ｂ）に対して確実に入射させることができると共に表示部２３ｂから出力された信号光Ｌｃ，Ｌｄを通信部３１の受光素子３１ｃ，３１ｄによって確実に受光することができる。したがって、測定データ回収器３を用いて測定装置２からの測定データＤを確実に回収することができる。
【００４４】
さらに、この測定システム１によれば、測定装置２および測定データ回収器３の少なくとも一方（この例では、双方）に、受光素子２３ａおよび受光素子３１ｃ，３１ｄに対する外光の入射を規制する遮光機構（この例では、測定装置２の筐体２０を嵌入可能に測定データ回収器３の筐体３０に形成された嵌入用穴Ｈ）を設けたことにより、測定装置２の通信部２３における受光素子２３ａや測定データ回収器３の通信部３１における受光素子３１ｃ，３１ｄに外光が入射して、通信エラーが発生する事態を確実に回避することができる。
【００４５】
なお、本発明は、上記の構成および方法に限定されない。例えば、測定データ回収器３の発光素子３１ｂから出力した連続光Ｌｂを測定装置２の液晶パネルＰにおける反射板４０ｂによって反射して信号光Ｌｃ，Ｌｄとして出力する構成の測定装置２および測定データ回収器３を有する測定システム１を例に挙げて説明したが、図６に示すように、測定データ回収器３ａにおける発光素子３１ｂ（本発明における第２の発光部）を受光素子３１ｃ，３１ｄ（本発明における回収器側受光部）に対向配置して、発光素子３１ｂから出力された連続光Ｌｂが測定装置２ａの液晶パネルＰａを通過して信号光Ｌｃ，Ｌｄとして受光素子３１ｃ，３１ｄに入射するように構成した測定装置２ａおよび測定データ回収器３ａを備えて測定システム１Ａを構成することができる。なお、この測定システム１Ａにおいて前述した測定システム１と同一の構成要素については、同一の符号を付して重複する説明を省略する。
【００４６】
この測定システム１Ａでは、測定データ回収器３ａの筐体３０ａに測定装置２ａを嵌入可能な嵌入用穴Ｈａが形成されて測定装置２ａの筐体２０ａにおける正面、背面および左右両側面が嵌入用穴Ｈａの内側壁に接することで、嵌入用穴Ｈａ内で測定データ回収器３ａに対して測定装置２ａが位置決めされつつ、受光素子２３ａ，３１ｃ，３１ｄに対する外光の入射が規制される。なお、同図に示す測定装置２ａでは、反射板４０ｂを有する液晶パネルＰａを備えて、反射板４０ｂに発光素子３１ｂから出力された連続光Ｌｂを通過させるための孔を設けているが、上記のように発光素子３１ｂと受光素子３１ｃ，３１ｄとを対向配置した場合には、本発明における液晶パネルとして反射板４０ｂを有していない透過型の液晶パネルを採用することもできる。
【００４７】
また、測定データ回収器３の筐体３０に形成した嵌入用穴Ｈ、および測定データ回収器３ａの筐体３０ａに形成した嵌入用穴Ｈａによって本発明における位置決め機構および遮光機構を構成した例について説明したが、本発明はこれに限定されない。具体的には、一例として、測定装置および測定データ回収器のいずれか一方に形成した位置決め用凸部（図示せず）と、測定装置および測定データ回収器のいずれか他方に形成した位置決め用凹部（上記の位置決め用凸部を嵌入可能な凹部：図示せず）とによって本発明における位置決め機構を構成したり、測定装置および測定データ回収器の双方または測定装置だけに遮光用壁部（図示せず）を設けて本発明における遮光機構を構成したりすることができる。さらに、周囲の温度を測定する測定装置２を備えた測定システム１を例に挙げて説明したが、湿度、光度、風向および各種電気的パラメータ等を測定する測定装置を備えた測定システムに本発明を適用することもできる。また、発光素子３１ｂから本発明における連続光に相当する連続光Ｌｂを出力する例について説明したが、発光素子３１ｂに代えて、電球等の各種光源から連続光Ｌｂを出力する構成を採用することができる。
【図面の簡単な説明】
【００４８】
【図１】本発明の実施の形態に係る測定システム１の構成を示すブロック図である。
【図２】測定装置２における通信部２３（受光素子２３ａおよび表示部２３ｂ）の正面図である。
【図３】測定データ回収器３における通信部３１の正面図である。
【図４】測定データ回収器３の嵌入用穴Ｈに測定装置２を嵌入した状態の断面図である。
【図５】通信用セグメント４２ａ，４２ｂの表示タイミングについて説明するためのタイミングチャートである。
【図６】測定システム１Ａの測定データ回収器３ａにおける嵌入用穴Ｈａに測定装置２ａを嵌入した状態の断面図である。
【符号の説明】
【００４９】
１，１Ａ  測定システム
２，２ａ  測定装置
３，３ａ  測定データ回収器
２０，２０ａ，３０，３０ａ  筐体
２１  測定部
２３，３１  通信部
２３ａ，３１ｃ，３１ｄ  受光素子
２３ｂ  表示部
２４，３４  制御部
２５，３５  記憶部
３１ａ，３１ｂ  発光素子
４０ａ  液晶セル
４０ｂ  反射板
４０ｃ  液晶駆動用制御回路
４１  測定値表示部
４２  通信用表示部
４２ａ，４２ｂ  通信用セグメント
Ｄ  測定データ
Ｈ，Ｈａ  嵌入用穴
Ｌａ，Ｌｃ，Ｌｄ  信号光
Ｌｂ  連続光
Ｐ，Ｐａ  液晶パネル
Ｓ１  送信開始信号
Ｓ２  制御信号
Ｓｃ  クロック信号
Ｓｄ  データ信号
【図１】
2010033482.tif 000003
【図２】
2010033482.tif 000004
【図３】
2010033482.tif 000005
【図４】
2010033482.tif 000006
【図５】
2010033482.tif 000007
【図６】
2010033482.tif 000008